(57)【要約】      （修正有）【課題】使用時あるいは緊急時等には簡単にテーブル上にセットして感染症に対応することができ、不要時には簡単に取り外すことができるデスク用コ字状パーティションを提供する。【解決手段】透明素材でコ字状に形成されたデスク用コ字状パーティション１１であって、下端には剥がせる面ファスナーもしくは粘着剤１２が貼付ないし塗布されており、剥がせる面ファスナーもしくは粘着剤によってデスク１３上に貼りあるいは剥がせるように固着される。【選択図】図１
0003229089.tif 000002
【実用新案登録請求の範囲】
【請求項１】
両端に屈曲部を備えてコ字状に形成された透明素材からなるデスク用コ字状パーティションであって、前記コ字状パーティションの下端には剥がせる面ファスナーもしくは粘着剤が貼付ないし塗布されており、当該剥がせる面ファスナーもしくは粘着剤によってデスク上に貼りあるいは剥がせるように固着されていることを特徴とするデスク用コ字状パーティション。
【請求項２】
前記透明素材でコ字状に形成されたデスク用コ字状パーティションが、その下端内面に剥がせる面ファスナーもしくは粘着剤が貼付ないし塗布されており、デスクの側面に貼りあるいは剥がせるように固着されていることを特徴とする請求項１に記載のデスク用コ字状パーティション。
【請求項３】
前記透明素材でコ字状に形成されたデスク用コ字状パーティションが、その下端に平板状の土台を形成されており、該土台の下面に剥がせる面ファスナーもしくは粘着剤が貼付ないし塗布されており、デスクの上面に貼りあるいは剥がせるように固着されていることを特徴とする請求項１に記載のデスク用コ字状パーティション。
【考案の詳細な説明】
【技術分野】
【０００１】
本考案は、透明素材でコ字状に形成されたデスク用コ字状パーティションであって、前記コ字状パーティションの下端には剥がせる面ファスナーもしくは粘着剤が貼付ないし塗布されており、デスク側面ないし上面に貼りあるいは剥がせるように固着されているデスク用コ字状パーティションに関するものである。
【背景技術】
【０００２】
従来、テーブル上に設けられる仕切板としては、特開平０８−１５４７４６公報（特許文献１参照）のように、対面する机間に支柱で支えられた仕切板を設置している薄型表示板を備えたパーティションが知られている。
【０００３】
また、特開２００２−３０７８９４公報（特許文献２参照）のような、文字、図形の書き込み、消去を可能とする板ガラスに関して、反射及び透過型の映写スクリーンとして使用可能であり、またその使用態様も間仕切材としても使用可能な投射スクリーン用板ガラスも知られている。
【先行技術文献】
【特許文献】
【０００４】
【特許文献１】特開平０８−１５４７４６公報
【特許文献２】特開２００２−３０７８９４公報
【考案の概要】
【考案が解決しようとする課題】
【０００５】
しかしながら、前記パーティションや投射スクリーン用板ガラスでは、簡単にテーブル上にセットして感染症に対応するデスク用パーティションとしては不向きであった。
【０００６】
本考案は上記課題に鑑み、使用時あるいは緊急時等に際しては簡単にテーブル上にセット可能であって、感染症に対応するデスク用パーティションとして使用することができ、不要時には簡単に取り外すことができるデスク用コ字状パーティションを提供しようとするものである。
【課題を解決するための手段】
【０００７】
すなわち本考案のデスク用コ字状パーティションは、両端に屈曲部を備えてコ字状に形成された透明素材からなるデスク用コ字状パーティションであって、前記コ字状パーティションの下端には剥がせる面ファスナーもしくは粘着剤が貼付ないし塗布されており、当該剥がせる面ファスナーもしくは粘着剤によってデスク上に貼りあるいは剥がせるように固着されていることを特徴とするものである。
【０００８】
本考案のデスク用コ字状パーティションにおいて、前記両端に屈曲部を備えてコ字状に形成された透明素材からなるデスク用コ字状パーティションが、その下端内面に剥がせる面ファスナーもしくは粘着剤が貼付ないし塗布されており、デスクの側面に貼りあるいは剥がせるように固着されていることをも特徴とするものである。
【０００９】
本考案のデスク用コ字状パーティションにおいて、前記両端に屈曲部を備えてコ字状に形成された透明素材からなるデスク用コ字状パーティションが、その下端に平板状の土台を形成されており、該土台の下面に剥がせる面ファスナーもしくは粘着剤が貼付ないし塗布されており、デスクの上面に貼りあるいは剥がせるように固着されていることをも特徴とするものである。
【考案の効果】
【００１０】
本考案のデスク用コ字状パーティションは、両端に屈曲部を備えてコ字状に形成されたデスク用コ字状パーティションであって、前記コ字状パーティションの下端には剥がせる面ファスナーもしくは粘着剤が貼付ないし塗布されており、当該剥がせる面ファスナーもしくは粘着剤によってデスク上に貼りあるいは剥がせるように固着されているのである。
【００１１】
したがって、使用時あるいは緊急時等に際しては簡単にテーブル上にセットして感染症に対応するデスク用コ字状パーティションとして使用することができ、不要時には簡単に取り外すことができるという非常に便利なものが提供できるのである。
また不要時には簡単に取り外して洗浄あるいは殺菌処理を行うことができ、いつまでの抗菌作用が低下しないといった優れた効果を奏するのである。
【図面の簡単な説明】
【００１２】
【図１】本考案のデスク用コ字状パーティションの第１実施例を示し、前記コ字状パーティションの下端に剥がせる粘着剤を貼付ないし塗布され、テーブルにセットしようとする例の概略斜視図である。
【図２】前記コ字状パーティションの下端に剥がせる粘着剤を貼付ないし塗布され、テーブルにセットした例の概略斜視図である。
【図３】前記コ字状パーティションの下端内側に平板状の土台を形成されており、該土台の下面に剥がせる粘着剤が貼付ないし塗布され、テーブルにセットしようとする例の概略斜視図である。
【図４】前記コ字状パーティションの下端内側の土台の下面に剥がせる粘着剤が貼付ないし塗布され、テーブルにセットした例の概略斜視図である。
【図５】前記コ字状パーティションの下端内側および外側に平板状の土台を形成されており、該土台の下面に剥がせる粘着剤が貼付ないし塗布され、テーブルにセットしようとする例の概略斜視図である。
【図６】前記コ字状パーティションの下端内側および外側の土台の下面に剥がせる粘着剤が貼付ないし塗布され、テーブルにセットした例の概略斜視図である。
【図７】本考案のデスク用コ字状パーティションの第２実施例を示し、前記コ字状パーティションの下端に面ファスナーを貼付され、テーブル上の面ファスナーにセットしようとする例の概略斜視図である。
【図８】前記コ字状パーティションの下端に面ファスナーを貼付され、テーブルにセットした例の概略斜視図である。
【図９】前記コ字状パーティションの下端内側に平板状の土台を形成されており、該土台の下面に面ファスナーが貼付され、テーブルにセットしようとする例の概略斜視図である。
【図１０】前記コ字状パーティションの下端内側の土台の下面に面ファスナーが貼付され、テーブルにセットした例の概略斜視図である。
【図１１】前記コ字状パーティションの下端内側および外側に平板状の土台を形成されており、該土台の下面に面ファスナーが貼付され、テーブルにセットしようとする例の概略斜視図である。
【図１２】前記コ字状パーティションの下端内側および外側の土台の下面に面ファスナーが貼付され、テーブルにセットした例の概略斜視図である。
【考案を実施するための形態】
【００１３】
以下、本考案のデスク用コ字状パーティションの実施の形態について図面に基いて詳細に説明する。
図１および図２は、本考案のデスク用コ字状パーティションの第１実施例を示し、前記コ字状パーティション１１の下端内面に剥がせる粘着剤１２を貼付ないし塗布した例の概略斜視図である。
【００１４】
図１において、前記コ字状パーティション１１は両端に屈曲部を備えてコ字状に形成されており、その下端内面には剥がせる粘着剤１２を貼付ないし塗布してある。
したがって、図２に示すように、前記コ字状パーティション１１の下端の内面の粘着剤１２部分をデスク１３の天板１４の側面に押し当てて加圧すれば、前記コ字状パーティション１１の下端内面の粘着剤１２部分とデスク１３の天板１４側面とが強固に接着するので感染症予防等の使用には何ら問題がない。
もちろん、前記粘着剤１２は剥がせるので、感染症予防等の使用が不要になれば前記コ字状パーティション１１は簡単にはがすことができる。
【００１５】
図３の変形例において、前記コ字状パーティション２１の下端内側には平板状の土台２１ａを形成してあり、平板状の土台２１ａの下面に剥がせる粘着剤２２を貼付ないし塗布してある。
したがって、図４に示すように、前記コ字状パーティション２１の下端の平板状の土台２１ａの下面に装着した剥がせる粘着剤２２部分を、前記デスク２３の天板２４の上面の外周に押し当てて加圧すれば、前記コ字状パーティション２１の下端の土台２１ａ下面に装着した粘着剤２２部分とデスク２３の天板２４上面とが強固に接着するので、感染症予防等の使用には何ら問題がない。
もちろん、前記粘着剤２２は剥がせるので、感染症予防等の使用が不要になれば前記コ字状パーティション２１を簡単にはがすことができる。
【００１６】
図５の変形例において、前記コ字状パーティション３１の下端両側に平板状の土台３１ａを形成してあり、平板状の土台３１ａの下面に剥がせる粘着剤３２を貼付ないし塗布してある。
したがって、図６に示すように、前記コ字状パーティション３１の下端の平板状の土台３１ａの下面に装着した剥がせる粘着剤３２部分を、前記デスク３３の天板３４の上面の外周に押し当てて加圧すれば、前記コ字状パーティション３１の下端の土台３１ａ下面に装着した粘着剤３２部分とデスク３３の天板３４上面とが強固に接着するので、感染症予防等の使用には何ら問題がない。
もちろん、前記粘着剤３２は剥がせるので、感染症予防等の使用が不要になれば前記コ字状パーティション３１を簡単にはがすことができる。
【００１７】
図７および図８は、本考案のデスク用コ字状パーティションの第２実施例を示し、前記コ字状パーティション４１の下端内面に面ファスナー４２を貼付した例の概略斜視図である。
【００１８】
図７において、前記コ字状パーティション４１の下端内面に面ファスナー４２を貼付してある。
したがって、図８に示すように、前記コ字状パーティション４１の下端の内面に装着した面ファスナー４２部分を、デスク４３の天板４４の側面に貼付した面ファスナー４５に押し当てて加圧すれば、前記コ字状パーティション４１の下端内面の面ファスナー４２部分とデスク４３の天板４４側面の面ファスナー４５とが強固に接着するので感染症予防等の使用には何ら問題がない。
もちろん、前記面ファスナー４２，４５は剥がせるので、感染症予防等の使用が不要になれば前記コ字状パーティション４１を簡単にはがすことができる。
【００１９】
図９の変形例において、前記コ字状パーティション５１の下端内側に平板状の土台５１ａを形成してあり、平板状の土台５１ａの下面に面ファスナー５２を貼付してある。
したがって、図１０に示すように、前記コ字状パーティション５１の下端の平板状の土台５１ａの下面に装着した面ファスナー５２部分を、デスク５３の天板５４の上面の外周に取り付けた面ファスナー５５に押し当てて加圧すれば、前記コ字状パーティション５１の下端の土台５１ａ下面の面ファスナー５２部分とデスク５３の天板５４上面の面ファスナー５５とが強固に接着するので感染症予防等の使用には何ら問題がない。
もちろん、前記面ファスナー５２，５５は剥がせるので、感染症予防等の使用が不要になれば前記コ字状パーティション５１を簡単にはがすことができる。
【００２０】
図１１の変形例において、前記コ字状パーティション６１の下端両側に平板状の土台６１ａを形成してあり、平板状の土台６１ａの下面に面ファスナー６２を貼付してある。
したがって、図１２に示すように、前記コ字状パーティション６１の下端の平板状の土台６１ａの下面に装着した面ファスナー６２部分を、前記デスク６３の天板６４上面の外周に取り付けた面ファスナー６５に押し当てて加圧すれば、前記コ字状パーティション６１の下端の土台６１ａ下面の粘着剤６２部分とデスク６３の天板６４上面にセットした面ファスナー６５とが強固に接着するので感染症予防等の使用には何ら問題がない。
もちろん、前記面ファスナー６２，６５は剥がせるので、感染症予防等の使用が不要になれば前記コ字状パーティション６１を簡単にはがすことができる。
【産業上の利用可能性】
【００２１】
以上説明したように、本考案のデスク用コ字状パーティションは、学校の教室等で使用されているデスクのみならず、ケアホームやその他の感染症予防の必要な施設のデスクやテーブル、また塾やその他の人々が密集しやすい施設等のデスクやテーブル等に好適に使用することができる。
したがって、デスクやテーブルが汚れた場合でも、デスク用コ字状パーティションを剥がすことにより簡単に殺菌剤等でクリーニングすることができ、殺菌剤等による殺菌作用、抗菌作用、クリーニング作用などを利用することが可能となるといった効果を奏する。
もちろん、本考案の適用範囲は学校の教室等で使用されているデスクのみならず、ケアホームやその他の感染症予防の必要な施設のデスクやテーブル、また塾やその他の人々が密集しやすい施設等のデスクやテーブル等に限定されるものではない。
【符号の説明】
【００２２】
１１  コ字状パーティション
１２  剥がせる粘着剤
１３  デスク
１４  天板
２１  コ字状パーティション
２１ａ  土台
２２  剥がせる粘着剤
２３  デスク
２４  天板
３１  コ字状パーティション
３１ａ  土台
３２  剥がせる粘着剤
３３  デスク
３４  天板
４１  デスク用コ字状パーティション
４２  面ファスナー
４３  デスク
４４  天板
４５  面ファスナー
５１  コ字状パーティション
５１ａ  土台
５２  面ファスナー
５３  デスク
５４  天板
５５  面ファスナー
６１  コ字状パーティション
６１ａ  土台
６２  面ファスナー
６３  デスク
６４  天板
６５  面ファスナー
【図１】
0003229089.tif 000003
【図２】
0003229089.tif 000004
【図３】
0003229089.tif 000005
【図４】
0003229089.tif 000006
【図５】
0003229089.tif 000007
【図６】
0003229089.tif 000008
【図７】
0003229089.tif 000009
【図８】
0003229089.tif 000010
【図９】
0003229089.tif 000011
【図１０】
0003229089.tif 000012
【図１１】
0003229089.tif 000013
【図１２】
0003229089.tif 000014